(57)【特許請求の範囲】
【請求項１】
可撓性を有する保護管に可撓性を有する流体管を挿通して、該流体管により流体供給部と流体消費部とを連結させる二重配管構造において、保護管内から旧流体管を新流体管に更新する際に使用される新旧流体管の連結具であって、
新旧の各流体管にそれぞれ嵌合固着される各嵌合部の間に鍔部が形成された形状であって、前記鍔部の外径は新旧の各流体管の外径に対応しており、
前記新旧の流体管を連結した状態で前記保護管内に挿通可能であることを特徴とする新旧流体管の連結具。
【請求項２】
新旧の流体管に対する連結具の嵌合固着を確実にするための固着具を備えていることを特徴とする請求項１に記載の新旧流体管の連結具。
【発明の詳細な説明】
【０００１】
【発明の属する技術分野】
本発明は、保護管内に挿通されて、流体供給部と流体消費部とを連結する流体管の更新配管時に使用される新旧流体管の連結具に関するものである。
【０００２】
【従来の技術】
湯水、或いはガス等を供給するための流体管の配管構造として、流体供給部（ヘッダー，熱源機等）の側と、流体消費部（水栓，トイレ，冷暖房機等）の側とを流体管で連結して、流体の供給を行う構造として、流体供給部と流体消費部との間にサヤ管と称される可撓性を有する保護管を配管して、該保護管内に樹脂管、或いは金属管から成る流体管を挿通させる二重配管構造が知られている。
【０００３】
この二重配管構造にあっては、流体管が古くなって、流体の流通が悪くなった場合には、旧管を保護管内から引き抜いて、新管を再度挿通させることにより、その更新を行える利点がある。
【０００４】
しかしながら、樹脂管を含めて流体管は、所定の耐圧・耐熱性を要するために、厚肉に形成する必要があって、必然的に剛性が大きくなる。このため、前記流体管の更新の際においては、旧管の引抜き作業、新管の挿通作業に極めて大きな力を要して、人力で行うのは極めて困難であった。
【０００５】
【発明が解決しようとする課題】
本発明は、二重配管構造における流体管の更新を人力により容易に、しかも効率よく行える新旧流体管の連結具の提供を課題としている。
【０００６】
【課題を解決するための手段】
この課題を解決するための本発明は、可撓性を有する保護管に可撓性を有する流体管を挿通して、該流体管により流体供給部と流体消費部とを連結させる二重配管構造において、保護管内から旧流体管を新流体管に更新する際に使用される新旧流体管の連結具であって、新旧の各流体管にそれぞれ嵌合固着される各嵌合部の間に鍔部が形成された形状であって、前記鍔部の外径は新旧の各流体管の外径に対応しており、前記新旧の流体管を連結した状態で前記保護管内に挿通可能であることを、その特徴としている。
【０００７】
本発明においては、連結具を新旧の各流体管の間に配置して、連結具の両端の各嵌合部を新旧の各流体管に嵌合させて、連結具をそれぞれ新旧の各流体管に固着すると、新旧の各流体管の外径と対応する外径を有する鍔部が新旧の各流体管の間に配置された状態で、新旧の各流体管が連結される。連結具の鍔部の外径は、新旧の各流体管の外径に対応しているため、本発明に係る連結具を介して新旧の各流体管が連結された状態では、連結具の鍔部と各流体管との連結部には、引っ掛かり部分が全く存在しない。このため、新旧の流体管は、本発明に係る連結具を介して連結された状態で保護管内をスムーズに挿通できる。よって、旧流体管を引張り出す操作と、新流体管を前記保護管内に押し入れる操作との組合せ操作により、保護管内の旧流体管を引き抜くと共に、新流体管を該保護管内に挿通して行う流体管の更新配管時において、連結具が保護管に引っ掛かることなく、スムーズに更新配管できる。
【０００８】
【発明の実施の形態】
以下、実施例を挙げて本発明を更に詳細に説明する。図１は、本発明に係る連結具を用いて行う流体管の更新配管方法の模式図であり、図２は、図１の主要部の拡大図である。図１に示されるように、建築物の壁部Ｗの裏側空間には、流体供給部となるヘッダーＨ，熱源機等が配設されている。このヘッダーＨは、各々の流体消費部との間に配管される数本の樹脂管の一端部を一箇所にまとめて接続する部材である。また、流体消費側となる壁部Ｗの内部には、水栓ジョイントボックスＢが配設され、前記ヘッダーＨと、該水栓ジョイントボックスＢとの間に樹脂管Ｐ1 が配管され、該樹脂管Ｐ1 は、壁内、或いは床下部Ｌに固定して配置された可撓性を有する保護管Ｐ2 内に挿通されて、二重配管構造となっている。前記水栓ジョイントボックスＢには、水栓（図示せず）が接続され、該水栓と前記樹脂管Ｐ1 とは、前記水栓ジョイントボックスＢの内部に配設された継手（図示せず）を介して接続される。
【０００９】
樹脂管Ｐ1 における床下部Ｌから壁部Ｗに至るコーナー部分は、わん曲して立ち上がり、しかも保護管Ｐ2 に挿入されずに露出して配管される。床下部Ｌから壁部Ｗに至るコーナー部分には、図８及び図９に示されるような管立上げ具Ｓが配置されて、樹脂管Ｐ1 の前記わん曲部は、該管立上げ具Ｓに案内されて立ち上がっている。この立上げ具Ｓは、基板２１に一対の壁板２２が所定間隔をおいて相対向して立設され、該一対の壁板２２の間に円弧状にわん曲した底板２３が設けられて、該底板２３との間に一定の間隔をおいて複数個のガイドローラ２４が前記一対の壁板２２に支承された構成である。樹脂管Ｐ1 は、円弧状にわん曲された底板２３と複数個のガイドローラ２４との間に挿通されるため、樹脂管Ｐ1 の挿通を行うための通管時、及びその引抜き時の双方において、わん曲部分の抵抗が小さくなって、通管、及び引抜きの双方の作業が行い易くなる。
【００１０】
本発明の更新配管方法の実施には、図３ないし図５に示される連結具Ｊ1 が使用される。この連結具Ｊ1 は、新旧の樹脂管Ｐ1,Ｐ'1を連結すると共に、該新旧の樹脂管Ｐ1,Ｐ'1を連結した状態で前記保護管Ｐ2 内に挿通可能であって、新旧の各樹脂管Ｐ1,Ｐ'1の間に配置される連結具本体１と、該連結具本体１を新旧の樹脂管Ｐ1,Ｐ'1に固着するための複数のビス２とで構成される。連結具本体１は、円筒体の中央部に鍔部３が設けられた形状であって、該円筒体は、樹脂管Ｐ1 の内径に対応する外径を有していて、その両端部は、樹脂管Ｐ1 内に嵌合される嵌合部４となっている。各嵌合部４の外周面における相対向する部分には、前記ビス２が螺合される雌ねじ５が半径方向に形成されている。
【００１１】
上記連結具Ｊ1 を使用して、新旧の各樹脂管Ｐ1,Ｐ'1を更新配管するには、以下のようにして行う。まず、図１及び図２に示されるように、旧樹脂管Ｐ'1とヘッダーＨとの接続を解いた後に、水栓ジョイントボックスＢから室内Ｒの側に旧樹脂管Ｐ'1を一旦引き出しておいて、この旧樹脂管Ｐ'1と新樹脂管Ｐ1 とを連結具Ｊ1 を介して連結する。即ち、図３ないし図５に示されるように、新旧の各樹脂管Ｐ1,Ｐ'1の端部における連結具本体１の雌ねじ５に対応する位置に、前記ビス２を挿入するためのビス孔６を穿孔した後に、連結具本体１の両端部の各嵌合部４をそれぞれ新旧の各樹脂管Ｐ1,Ｐ'1の内側に嵌合し、その後に、前記ビス孔６に挿入したビス２を連結具本体１の雌ねじ５に螺合させる。これにより、図３及び図５に示されるように、新旧の各樹脂管Ｐ1,Ｐ'1が連結具Ｊ1 を介して連結される。本実施例では、連結具本体１の鍔部３の外径が樹脂管Ｐ1 の外径に対応していると共に、前記ビス孔６の外周面側の部分は、ビス２の頭部２ａが埋設されるように円錐形状をしていて、該ビス２の頭部２ａが突出していないために、連結部に引っ掛かり部分が全くなくなる。
【００１２】
そして、図１に示されるように、２人の作業者の一方が、旧樹脂管Ｐ'1を矢印Ｑ方向に引張ると共に、他方の作業者が、新樹脂管Ｐ1 を矢印Ｔ方向に押して保護管Ｐ2 内に押し入れる。この際に、旧樹脂管Ｐ'1を引張る操作と、新樹脂管Ｐ1 を押し入れる操作とは、同時に行っても、時間をずらして交互に行ってもよく、これらの２種類の組合せ操作を反復して行う。上記した引張り操作と、押入れ操作とを同時に行うと、その作用が相乗して、旧樹脂管Ｐ'1は、保護管Ｐ2 から引き出され易くなる。また、新旧の各樹脂管Ｐ1,Ｐ'1のわん曲部は、前記管立上げ具Ｓに案内されて、その通管抵抗が小さくなっているために、上記した２種類の各操作は、いずれも小さな力で行える。これにより、旧樹脂管Ｐ'1は、手前側への引張りと、後端部側からの押出しとの双方の作用が加わるために、従来方法のように、引張りのみの場合に比較して、保護管Ｐ2 から旧樹脂管Ｐ'1を引き出し易くなる。また、保護管Ｐ2 から旧樹脂管Ｐ'1が引き出されることにより、該保護管Ｐ2 内には新樹脂管Ｐ1 が挿入されて、新樹脂管Ｐ1 のみの挿入作業が不要となる。なお、壁部Ｗの内部に設けられた水栓ジョイントボックスＢの場合には、その水栓接続口から新樹脂管Ｐ1 を挿入できるため、壁部Ｗを壊さなくても、更新配管ができる利点がある。
【００１３】
また、上記実施例では、水栓ジョイントボックスＢの側から新樹脂管Ｐ1 を挿入しているが、ヘッダーＨの側から新樹脂管Ｐ1 を挿入することも可能である。ヘッダーＨ側には、その近辺に点検口が設けられており、該点検口を開くことにより、新樹脂管Ｐ1 の挿入を簡単に行える。更に、上記実施例では、樹脂管Ｐ1 のわん曲部は、管立上げ具Ｓに支持させて、当該部分の通管抵抗を小さくしてあるが、該管立上げ具Ｓを用いずに、連続した１本状の保護管Ｐ2 を使用して、樹脂管Ｐ1 の全体が保護管Ｐ2 に挿通されるようにしてもよい。
【００１４】
また、図６及び図７には、別の連結具Ｊ2 が示されている。この連結具Ｊ2 は、半円筒状の一対の被覆体７から成る連結具本体８と、該連結具本体８を新旧の樹脂管Ｐ1,Ｐ'1に固着するための複数のビス２とで構成される。一対の被覆体７は、半円筒状を成していて、その軸方向に沿って所定間隔をおいて一対のビス孔９が設けられている。このビス孔９は、ビス２の頭部２ａが埋設可能なように円錐状をしており、半円筒状の被覆体７の両端部は、通管時における引っ掛かりをなくすためにテーパー状に形成されている。
【００１５】
上記連結具Ｊ2 を介して新旧の各樹脂管Ｐ1,Ｐ'1を連結するには、各樹脂管Ｐ1,Ｐ'1の端部にそれぞれねじ孔１１を形成しておく。そして、新旧の各樹脂管Ｐ1,Ｐ'1の端面を密着させて、その接続部に一対の被覆体７を当てがって、ビス２を用いて各被覆体７を新旧の各樹脂管Ｐ1,Ｐ'1に固着すると、半円筒状の一対の被覆体７と複数本のビス２とから成る連結具Ｊ2 を介して新旧の各樹脂管Ｐ1,Ｐ'1が連結される。
【００１６】
また、上記実施例では、流体供給部であるヘッダーＨと、流体消費部である水栓ジョイントボックスＢとの間に二重配管された樹脂管の更新について説明したが、他の部分においても、本発明に係る新旧流体管の連結具を用いて流体管を更新配管することは可能である。例えば、ヘッダーＨと、水道本管から分岐した分岐管に設けられた量水器との間は、上記した二重配管構造になっていて、該ヘッダーＨと量水器の部分とは、それぞれ流体消費部、及び流体供給部の関係にある。従って、このヘッダーと量水器とを接続している樹脂管の更新についても、本発明に係る連結具を使用して行える。
【００１７】
【発明の効果】
本発明に係る連結具により新旧の各流体管を連結した状態では、連結具の鍔部の外径は新旧の各流体管の外径に対応していて、連結具の鍔部と各流体管との連結部には引っ掛かり部分が全く存在しないため、新旧の流体管は、本発明に係る連結具により一体に連結された状態で保護管内をスムーズに挿通させられる。よって、新旧の各流体管を連結具を介して一体に連結し、旧流体管を引っ張り出す操作と新流体管を前記保護管内に押し入れる操作との組合せ操作により、保護管内の旧流体管を引き抜くと共に、新流体管を該保護管内に挿通して行う流体管の更新配管時において、連結具が保護管に引っ掛かることなく、スムーズに更新配管できる。
【図面の簡単な説明】
【図１】本発明に係る連結具を用いて行う流体管の更新配管方法の模式図である。
【図２】図１の主要部の拡大図である。
【図３】連結具Ｊ1 を介して新旧の各樹脂管Ｐ1,Ｐ'1が連結された状態の拡大斜視図である。
【図４】連結具Ｊ1 と、新旧の各樹脂管Ｐ1,Ｐ'1との分解斜視図である。
【図５】連結具Ｊ1 を介して新旧の各樹脂管Ｐ1,Ｐ'1が連結された状態の拡大縦断面図である。
【図６】連結具Ｊ2 と、新旧の各樹脂管Ｐ1,Ｐ'1との分解斜視図である。
【図７】連結具Ｊ2 を介して新旧の各樹脂管Ｐ1,Ｐ'1が連結された状態の拡大縦断面図である。
【図８】管立上げ具Ｓの斜視図である。
【図９】同じく縦断面図である。
【符号の説明】
Ｂ：水栓ジョイントボックス（流体消費部）
Ｈ：ヘッダー（流体供給部）
Ｊ1,Ｊ2 ：連結具
Ｐ1 ：樹脂管（流体管）
Ｐ2 ：保護管
１：連結具本体
２：ビス（固着具）
３：鍔部
４：嵌合部
【図１】
0003568702.tif 000002
【図２】
0003568702.tif 000003
【図３】
0003568702.tif 000004
【図４】
0003568702.tif 000005
【図５】
0003568702.tif 000006
【図６】
0003568702.tif 000007
【図７】
0003568702.tif 000008
【図８】
0003568702.tif 000009
【図９】
0003568702.tif 000010